(57)【特許請求の範囲】
【請求項１】
複数個のコマから主プリントコマを特定する主プリントコマ特定手段と、
前記主プリントコマの前、前後、又は後に撮影された複数個の一連のコマを副プリントコマとして抽出する副プリントコマ抽出手段と、
主プリントエリアとこの主プリントエリアに隣接する副プリントエリアとを有する合成パターンに対し、前記主プリントコマを主プリントエリアに、複数個の副プリントコマを主プリントコマよりもサイズを小さくして副プリントエリアに嵌め込み合成してグループプリント画像を作成するグループプリント画像作成手段と、
全コマに対してグループプリントを作成する全コマ対象プリントにおいて、前記主プリントコマ特定手段により、複数コマの全てのコマに対して順次に主プリントコマを特定して、副プリントコマ抽出手段及びグループプリント画像作成手段を用いて、複数コマの全ての画像に対して作成された前記グループプリント画像をプリントするプリント手段とを有することを特徴とするグループプリント作成装置。
【請求項２】
前記グループプリント画像作成手段は、前記主プリントコマ及び副プリントコマに対してコマ番号を記録することを特徴とする請求項１記載のグループプリント作成装置。
【請求項３】
前記全コマ対象プリントの作成と、指定された特定コマのみがグループプリントされる特定コマプリントの作成とのいずれかを選択する選択手段を備え、前記特定コマプリントの作成が選択されて前記特定コマが指定されたときに、前記指定された特定コマのみのグループプリント画像がプリントされることを特徴とする請求項１または２記載のグループプリント作成装置。
【発明の詳細な説明】
【０００１】
【発明の属する技術分野】
本発明は、グループプリント作成装置に関する。
【０００２】
【従来の技術】
最近では、写真フイルムに記録された全コマの画像を一覧に表示したインデックスプリント写真が提供されるようになってきている。また、各種画像を画像合成して１枚のプリントに表示することも行われている。
【０００３】
【発明が解決しようとする課題】
上記インデックスプリント写真では、単に各コマが一覧に表示されるだけであり、インデックス用として利用価値があるものの、各コマは小さなサイズで記録されるため、細部については充分な情報が得られないという問題がある。したがって、細部を見たい場合には該当するコマ番号のプリント写真を取り出して、これを観察する必要がある。他方、各プリント写真をそれぞれに観察する場合には、一連の各コマの関連性を把握することができないという問題がある。
【０００４】
本発明は上記課題を解決するためのものであり、各コマの細部を観察することができ、しかも各コマの関連性も容易に把握することができるようにしたグループプリント作成装置を提供することを目的とする。
【０００５】
【課題を解決するための手段】
上記目的を達成するために、本発明のグループプリント作成装置では、複数個のコマから主プリントコマを特定する主プリントコマ特定手段と、前記主プリントコマの前、前後、又は後に撮影された複数個の一連のコマを副プリントコマとして抽出する副プリントコマ抽出手段と、主プリントエリアとこの主プリントエリアに隣接する副プリントエリアとを有する合成パターンに対し、前記主プリントコマを主プリントエリアに、複数個の副プリントコマを主プリントコマよりもサイズを小さくして副プリントエリアに嵌め込み合成してグループプリント画像を作成するグループプリント画像作成手段と、全コマに対してグループプリントを作成する全コマ対象プリントにおいて、前記主プリントコマ特定手段により、複数コマの全てのコマに対して順次に主プリントコマを特定して、副プリントコマ抽出手段及びグループプリント画像作成手段を用いて、複数コマの全ての画像に対して作成された前記グループプリント画像をプリントするプリント手段とを有することを特徴とする。なお、前記グループプリント画像作成手段は、前記主プリントコマ及び副プリントコマに対してコマ番号を記録することを特徴とする。また、前記全コマ対象プリントの作成と、指定された特定コマのみがグループプリントされる特定コマプリントの作成とのいずれかを選択する選択手段を備え、前記特定コマプリントの作成が選択されて前記特定コマが指定されたときに、前記指定された特定コマのみのグループプリント画像がプリントされることを特徴とする。
【００１１】
【発明の実施の形態】
図１は、本発明のプリントシステムを示す概略図である。現像処理済みのネガフイルム１０はフイルムスキャナ１１にセットされる。図２に示すように、フイルムスキャナ１１はフイルムキャリア１２を備えており、このフイルムキャリア１２は、マスク開口を有する測光ステージ１３にネガフイルム１０の各コマをコマ送りする。測光ステージ１３には光源１４及び撮像部１５が配置されており、撮像部１５によりプリント対象コマが撮像される。光源１４は、ランプ１４ａ，リフレクタ１４ｂ，拡散ボックス１４ｃから構成されている。
【００１２】
ネガフイルム１０は、新規格のＩＸ２４０タイプや従来からの１３５タイプなどの各タイプフイルム毎に例えば８０件分程度が接合されて長尺化されている。ＩＸ２４０タイプのフイルムの場合には磁気記録層がフイルム全面に形成されており、これらの初期磁気情報記録エリアにプリントサイズ、プリント枚数、撮影日時、セレクトタイトル、プリントフォーマット等のプリント指示情報が撮影の際にカメラで磁気記録されている。
【００１３】
図２に示すように、撮像部１５からの画像データは、画像処理部１６において、対数変換やＡ／Ｄ変換されてデジタル化され、これが内蔵するフレームメモリ１７に赤色（Ｒ），緑色（Ｇ），青色（Ｂ）の各色毎に記憶される。そして、フレームメモリ１７からカラーＣＲＴ１８の表示エリアに合わせて三色画像データが間引かれ、画像処理部１６で画像処理されて、仕上り画像がカラーＣＲＴ１８にシミュレート表示される。このシミュレート画像を観察して補正が必要な画像に対してはキーボード１９により補正量が入力される。
【００１４】
キーボード１９には、テンキー１９ａの他に、濃度補正キー群１９ｂとＲ，Ｇ，Ｂの色補正キー群１９ｃとが設けられている。これらは７個のキーを並べて構成されており、７段階の補正量を入力することができるようになっている。補正量が入力されると、画像処理部１６はこの入力された補正量に基づきフレームメモリ１７から読み出した画像データに修正を加える。これにより修正した後の仕上り画像がカラーＣＲＴ１８にシミュレート表示される。
【００１５】
このシミュレート画像を観察して仕上りが良好の場合には次コマキー１９ｄが操作されることにより、補正が確定される。補正が確定されると、この補正値に基づきフレームメモリ１７からの画像データが補正され、この補正されたデータが画像記録ファイル２５に送られる。また、次コマキー１９ｄの操作により、ネガフイルム１０がコマ送りされ、新たなコマが測光ステージ１３にセットされる。なお、符号１９ｅ，１９ｆは、コマ位置を修正する微調整キーであり、コマ位置がずれている場合にマニュアルで修正することができる。
【００１６】
フイルムキャリア１２のフイルム入口側には磁気再生ヘッド２０が配置されている。この磁気再生ヘッド２０は、ＩＸ２４０タイプのネガフイルム１０に対して、その磁気記録層に記録された撮影情報を読み取る。この撮影情報はデコーダ２１によりプリント側で利用可能な撮影データに変換される。撮影データとしては、デート（撮影日時）、プリント枚数、「タンジョウビ」，「オメデトウ」などのセレクトタイトル、プリントサイズ、プリントフォーマット等があり、これらはフイルムスキャナ１１の画像処理部１６に送られる。
【００１７】
なお、磁気記録情報を持たない１３５タイプのネガフイルム１０の場合には、プリント受付時にプリント枚数やプリントサイズ、プリントフォーマットなどのプリント指示情報がＤＰ袋に記入されるので、この記録に基づき前記キーボード１９からこれらプリント指示情報が入力される。また、ＩＸ２４０タイプのものであっても、撮影時に、プリントフォーマットの指示がないものは、同様にしてＤＰ袋の記入内容を見て、プリント指示情報が入力される。
【００１８】
補正処理が終了したコマの画像データは、図１に示すように、各オーダー識別情報に基づき各コマの記録順に、画像記憶ファイル２５に記録される。このとき、プリント指示データも各コマ毎に画像記憶ファイル２５に記憶される。画像記録ファイル２５は、大容量の記憶装置から構成されており、所定の本数のネガフイルム１０の全画像データが記憶可能になっている。
【００１９】
図３に示すように、デジタルプリンタ３０は、プリント画像作成部３１及びプリント部３２から構成されており、画像記憶ファイル２５から該当する画像データ及びプリント指示データを読みだして、これらに基づき、通常プリント、インデックスプリント、グループプリントのいずれかを行う。
【００２０】
図４はデジタルプリンタ３０で作成されたインデックスプリント写真３３の一例である。このインデックスプリント写真３３は、後に説明する画像合成部４３で、インデックスプリント用フォーマットに基づき各コマの画像が縮小されインデックスコマ３３ａにされ、これが該当するコマ番号の位置に画像合成され、この合成画像により作成される。このインデックスプリント写真３３には、インデックスコマ３３ａの他に、タイトル３３ｂ、ＩＤ番号３３ｃ、ＩＤ番号バーコード３３ｄが記録される。
【００２１】
図５は、グループプリント写真３５の一例であり、コマ番号「３」のものを示している。このグループプリント写真３５には、グループプリント用フォーマットＰＦ１（図３参照）に基づき各コマの画像が各プリントエリアのサイズに応じて記録される。グループプリント写真３５では、特定された主プリントコマ３５ａを、この主プリントコマ３５ａに対応する画像サイズとして、主プリントコマエリアＭＰＦＡに嵌め込み合成する。また、主プリントコマ３５ａの周りのＬ字形の副プリントエリアＳＰＡに、関連する５個の副プリントコマ３５ｂ，３５ｃ，・・・３５ｆを並べて配置する。各プリントコマ３５ａ〜３５ｆの左下角部には、各コマ３５ａ〜３５ｆのコマ番号３６が嵌め込み合成される。
【００２２】
図６は、図５の次のコマ番号であるコマ番号「４」のグループプリント写真３７を示している。この場合にも、コマ番号「２」，「３」，「５」，「６」，「７」が副プリントコマ３７ｂ〜３７ｆとして、主プリントコマ３７ａの周りに記録される。
【００２３】
図３に示すように、プリント画像作成部３１は、インデックスプリント及びグループプリントが指定されたときに、所定のプリント用フォーマットＰＦ１，ＰＦ２により各コマの画像データを用いて画像合成する。グループプリントでは、主プリントコマの特定部４０で、主プリントコマが特定される。グループプリントには、全コマ対象プリントと、特定コマプリントとの二種類が選択可能にされている。全コマ対象プリントは、全コマに対してグループプリントが行われる。また、特定コマプリントの場合には指定された特定コマのみがグループプリントされる。したがって、主プリントコマ特定部４０は、全コマ対象プリントでは、撮影順に主プリントコマを順次指定していく。また、特定コマプリントでは、特定コマのコマ番号を指定する。
【００２４】
この主プリントコマのコマ番号は、主プリントコマデータ読出部４１及び副プリントコマ抽出部４２に送られる。主プリントコマデータ読出部４１では、指定されるコマ番号の画像データを画像記憶ファイル２５から読み出して、これを画像合成部４３に送る。
【００２５】
副プリントコマ抽出部４２では、主プリントコマのコマ番号に基づき、副プリントコマを抽出する。図５に示すグループプリント写真３５の場合には、例えば主プリントコマ３５ａとしてコマ番号「３」のものが選択された場合には、この主プリントコマ３５ａの撮影前２コマ（コマ番号「１」，「２」）と、撮影後３コマ（コマ番号「４」，「５」，「６」）が副プリントコマ３５ｂ〜３５ｆとして抽出される。なお、主プリントコマ３５ａが先頭コマ「１」の場合には、該当する撮影前２コマは無いため、副プリントコマ３５ｂ〜３５ｆとしてコマ番号「２」〜「６」が抽出される。後端部近くのコマの場合も同様に取り扱われ、該当する撮影後のコマが無い場合にも、その分、撮影前コマが表示される。副プリントコマデータ読出部４４は、抽出された副プリントコマ３５ｂ〜３５ｆの画像データを画像記憶ファイル２５から読みだして、これを画像合成部４３に送る。
【００２６】
画像合成部４３は、グループプリントが指定された時には、グループプリント用フォーマットＰＦ１を用いて、その主プリントコマエリアＭＰＦＡに主プリントコマの画像を嵌め込み合成する。また、副プリントエリアＳＰＡに、抽出された５個の副プリントコマの画像を縮小して嵌め込み合成する。画像の縮小は画像データを間引くことにより行われるが、他の手段で縮小してもよい。
【００２７】
図５に示すように、主プリントコマエリアＭＰＦＡは、プリント写真３５の全エリアに対し、右上角部に配置される。また、主プリントコマエリアＭＰＦＡ以外の残ったＬ字形のエリアが副プリントエリアＳＰＡとされる。この副プリントエリアＳＰＡには、縦横に各３個の副プリントコマ３５ｂ〜３５ｄ，３５ｄ〜３５ｆが並べて設けられる。更に、各プリントコマ３５ａ〜３５ｆの左下角部にはコマ番号３６が嵌め込み合成される。なお、主プリントコマエリアＭＰＦＡ、副プリントエリアＳＰＡの位置やサイズは図示のものに限定されることなく、種々の変更が可能である。
【００２８】
画像合成部４３は、インデックスプリントが指定された時には、インデックスコマ読出部４５で読みだした１オーダー分の全コマを、インデックスプリント用フォーマットＰＦ２の各コマエリアに嵌め込み合成する。なお、本実施形態では、画像合成部４３で各コマを各プリントエリアサイズに合わせて間引き処理をしているが、これに代えて、各データ読出部で各コマの画像を対応するサイズで間引くようにして読み取ってもよい。また、通常プリントが指定された場合には、通常プリントコマ読出部４６により画像記憶ファイル２５から各コマの画像が読みだされ、これがプリント部３２に送られる。
【００２９】
図７に示すように、プリント部３２は、レーザー光による走査露光部５０を備えている。そして、ペーパー送りローラ対５１によりカラーペーパー５２の送りに同期させてカラーペーパー５２の幅方向に焼付ビームを走査することで、カラーペーパー５２に各コマを順次焼付露光する。
【００３０】
カラーペーパー５２にはパンチャ５３，５４により、カットマーク５５とソートマーク５６とが形成される。カットマーク５５は小孔から構成されており、各プリント画像５７の間の余白部で各コマを切り離すためにカラーペーパー５２の一方の側縁部に形成されている。ソートマーク５６も小孔から構成されており、１本分のネガフイルム１０毎に各プリント画像５７を区切るために形成されている。このソートマーク５６は、カットマーク５５が形成される側とは反対側の側縁部に形成される。なお、カットマーク５５、ソートマーク５６をパンチャ５３，５４で形成する他に、走査露光部５０で焼付露光したり、マークプリンタでプリントしたりして形成してもよい。
【００３１】
走査露光部５０は、通常プリントが指定された場合には、１コマをフルサイズでプリントする。また、インデックスプリントが指定された場合にはインデックスプリント用フォーマットＰＦ２で画像合成された画像データに基づきプリントを行う。また、グループプリントが指定された場合には、グループプリント用フォーマットＰＦ１で画像合成された画像データに基づきプリントを行う。
【００３２】
図１に示すように、焼付露光済みのカラーペーパー５２はペーパーマガジン６０に収納された状態で周知のペーパープロセサ６１に送られる。ペーパープロセサ６１は、カラーペーパー５２を現像処理した後に、カットマーク５５（図７参照）を基準にして切り離して、インデックスプリント写真３３、グループプリント写真３５、通常のプリント写真６２を作成する。これらのプリント写真３３，３５，６２は周知のように、ソートマーク５６を基準にして各オーダー毎に設けた収納部に１まとまりにされる。これら１まとまりにされたプリント写真３３，３５，６２は、ネガフイルム１０とともにＤＰ袋に入れられる。
【００３３】
なお、上記実施形態では、フイルムスキャナ１１を用いてネガフイルム１０から各コマの画像を読み取ったが、この他に、図示は省略したが、デジタルカメラで撮像された各コマに対して、グループプリントやインデックスプリントを行うようにしてもよい。また、フイルムスキャナ１１は、各コマ単位で間欠的に撮像したが、この他に、ライン状のイメージエリアセンサによりネガフイルム１０の送りに同期させて、各コマの画像を撮像してもよい。また、パソコン等で編集した各コマに対してグループプリントを行ってもよい。
【００３４】
グループプリントする際に、上記実施形態では、図５に示すように、副プリントコマ３５ｂ〜３５ｆを、主プリントコマ３５ａの前、前後、後に撮影された順番で、主プリントコマ３５ａに隣接する前２コマと後３コマとしたが、この副プリントコマ数はこれに限定されることなく、適宜増減してもよい。
【００３５】
図８に示すように、副プリントコマ７０ｂを主プリントコマ７０ａの周囲を囲むように並べて配置して、グループプリント写真７０を構成してもよい。この場合に、周囲に並べる副プリントコマ７０ｂの数は、適宜増減してよい。例えば、図９に示すように、主プリントコマ７１ａの他に、ネガフイルムに記録された全コマ分を副プリントコマ７１ｂとして並べることで、インデックスも兼ねることができる。
【００３６】
副プリントコマを単に撮影順に主プリントコマに隣接する前後のコマから抽出する代わりに、予め各コマにグループ識別情報を記録しておき、これに基づきグループ分けし、このグループ分けした中から副プリントコマを撮影順に並べて配置してもよい。グループ識別情報は、カメラで撮影毎に記録する他に、プリント注文時に記録することができる。この場合には、関連のあるコマのみからグループプリントを作成することができる。
【００３７】
上記実施形態では、主プリントコマ３５ａと複数個の副プリントコマ３５ｂ〜３５ｆとを１枚のシートに配置して、グループプリント写真３５を作成したが、図１０に示すように、前記主プリントコマ７５ａの周りに、中サイズ副プリントコマ７５ｂ，７５ｃと、この中サイズ副プリントコマ７５ｂ，７５ｃよりもサイズの小さい小サイズ副プリントコマ７５ｄ〜７５ｇとを配置してもよい。この中サイズ副プリントコマ７５ｂ，７５ｃは１〜３個程度が好ましいが、その数はこれに限定されない。
【００３８】
この場合には、中サイズ副プリントコマ７５ｂ，７５ｃは、主プリントコマ７５ａの前、前後、又は後に撮影されたコマとし、小サイズ副プリントコマ７５ｄ〜７５ｇは、中サイズ副プリントコマ７５ｂ，７５ｃの前、前後、又は後に撮影されたコマとする。なお、撮影順でグループ化する代わりに、撮影の際やプリントの注文の際に関連付けられたグループの中から、各副プリントコマ７５ｂ〜７５ｇを表示してもよい。
【００３９】
上記実施形態では、主プリントコマ３５ａを１個有するグループプリント写真３５としたが、この他に、図１１に示すように、複数個の主プリントコマ８０ａ，８０ｂを配置し、これの周りに、副プリントコマ８０ｃ〜８０ｈ，８０ｋ〜８０ｎを配置して、グループプリント写真８０を作成してもよい。この場合にも、副プリントコマ８０ｃ〜８０ｈ，８０ｋ〜８０ｎは、主プリントコマ８０ａ，８０ｂの前、前後、又は後に撮影されたコマ、又はグループ付けされたコマとする。
【００４０】
上記各実施形態では、主プリントコマの隣接する二辺にＬ字形に副プリントエリアを設けたり、主プリントコマの四辺全周に副プリントエリアを設けたりしているが、これは少なくとも一辺に副プリントエリアを有すればよい。更には、三辺に接するＣ字形の副プリントエリアとしてもよい。
【００４１】
図１２は、主プリントコマ９０の左側短辺９０ａに隣接させて副プリントエリア９１を設けたグループプリント写真９２の一例を示している。この実施形態では、副プリントエリア９１に３個の小サイズ副プリントコマ９３を設けている。なお、小サイズ副プリントコマ９３の配置個数は複数個あればよく、好ましくは３〜５個であるが、この数は適宜増減してよい。
【００４２】
図１３は、主プリントコマ９５の下側長辺９５ａに隣接させて副プリントエリア９６を設けたグループプリント写真９７の一例を示している。なお、副プリントエリア９６に配列する小サイズ副プリントコマ９８の個数は複数個あればよく、好ましくは３〜５個である。
【００４３】
上記各実施形態では、副プリントエリアに対して、小サイズ副プリントコマを一列に並べて配置したが、これは複数列で配置してもよい。更には、小サイズ副プリントコマを千鳥状（ジグザグ）に配列してもよい。また、コマの向きを示す情報が入力されている場合には、各コマの向きを合わせて配列してもよい。
【００４４】
上記実施形態では、デジタルプリンタ３０でインデックスプリント写真３３やグループプリント写真３５，３６を画像合成したが、この他に、フイルムスキャナ１１でプリント指示情報に基づき、これら写真３３，３５などを画像合成してもよい。
【００４５】
上記実施形態では、１つのデジタルプリンタ３０で通常プリント、インデックスプリント、グループプリントを行うようにしたが、この他に、それぞれ専用のプリンタを用いてプリントしてもよい。この場合には、各プリントに、最適なサイズのカラーペーパーをセットしておくとよい。
【００４６】
上記実施形態では、ペーパーマガジン６０に焼付露光済みのカラーペーパー５２を収納して、このペーパーマガジン６０をペーパープロセサ６１にセットすることで現像処理したが、これに代えて、図示は省略したが、デジタルプリンタ３０にペーパープロセサ６１を内蔵させてもよい。
【００４７】
上記実施形態では、図７に示すように、走査露光部５０をレーザー光による走査露光方式としたが、この他に、他のＣＲＴや液晶表示パネル等を用いた面露光方式又は線露光方式を用いてもよい。
【００４８】
上記実施形態では、銀塩方式感光材料を用いるデジタルプリンタ３０としたが、この他に、感熱記録方式，熱転写記録方式，インクジェット記録方式などの記録方式のデジタルプリンタを接続し、記録方式指示データによりこれらを選択して用いてデジタルプリントする場合に本発明を実施してもよい。例えば、インクジェットプリンタを用いてプリントすることにより、例えばＡ０，Ａ１サイズなどの大型サイズのプリントが得られる。
【００４９】
上記実施形態では、画像記憶ファイル２５に、デジタル画像データと対応させてプリント指示データを記憶させたが、この他に、画像記憶ファイル２５にこれらを記憶することなく、これらデータを直接に対応するデジタルプリンタに送ってもよい。この場合には、各デジタルプリンタにバッファメモリを設けておき、これに各種データを記憶する。
【００５０】
上記実施形態では、撮像部１５からの画像データをフイルムスキャナ１１を用いてフイルム検定で補正し、この補正データを画像記憶ファイル２５に記憶させたが、これに代えて、撮像部１５からの画像データと補正データとプリント指示データとを組み合わせて、画像記憶ファイル２５に記憶させてもよい。この場合には、デジタルプリンタ３０で、画像データと補正データとに基づき補正を行い、この補正データにより記録を行う。また、人手で補正する代わりに、自動で行ってもよい。
【００５１】
上記実施形態では、多数のオーダーのネガフイルムを接合して長尺化したネガフイルム１０を用いたが、この他に、ネガフイルム１０を１本ずつフイルムキャリアにセットして画像データやプリント指示データを読み取るようにしてもよい。この場合に、ＩＸ２４０タイプのフイルムでは、カートリッジをフイルムスキャナ１１にセットして自動的にフイルム送りをするとよい。
【００５２】
上記実施形態では、例えば図５に示すように、主プリントコマ３５ａの周囲に副プリントコマ３５ｂ〜３５ｆを並べたが、これら副プリントコマ３５ｂ〜３５ｆの適数個をメモエリアとしてもよい。この場合には、このメモエリアには副プリントコマを記録することなく、撮影日時やタイトル等をプリントする。また、プリントする代わりに余白エリアとして、これに後にユーザーがメモ等を手書き可能にしてもよい。
【００５３】
【発明の効果】
本発明では、サイズの大きな１個の主プリントコマと、この主プリントコマよりもサイズが小さく且つ複数個の副プリントコマとを、同一のプリントシート上に配置し、主プリントコマの前、前後、又は後に撮影された一連のコマ又はグループ化されたコマを副プリントコマとしたから、主プリントコマと副プリントコマとを一覧することができる。したがって、主プリントコマに対しては細部の観察を容易に行うことができる。また、同一プリント上で、他の関連するコマを観察することができる。これにより、通常のプリント写真やインデックスプリント写真と異なり、めりはりがあり且つ時間変化も読み取れる趣向に富むプリントシートが得られる。更に、主プリントコマを複数個記録したり、副プリントコマをサイズを変えて記録することにより、より一層趣向に富むプリントシートが得られる。
【００５４】
主プリントコマを特定する手段と、前記主プリントコマの前、前後、又は後に撮影された複数個のコマを副プリントコマとして抽出する手段と、主プリントエリアとこの主プリントエリアに隣接する副プリントエリアを有する合成パターンに対し、前記主プリントコマを主プリントエリアに、複数個の副プリントコマを主プリントコマよりもサイズを小さくして副プリントエリアに嵌め込み合成する手段を備えることにより、趣向に富んだグループプリントの画像を簡単に作成することができる。特に、記録媒体に記録された順番で順に各画像を主プリントコマとすることにより、各コマ毎にグループプリントシートが得られるようになる。また、各プリントコマにはコマ番号を記録することにより、インデックス機能も得られる。
【図面の簡単な説明】
【図１】本発明の画像作成装置を有したプリントシステムを示す概略図である。
【図２】フイルムスキャナを示す概略図である。
【図３】デジタルプリンタのプリント画像作成部を示すブロック図である。
【図４】インデックスプリント写真の一例を示す平面図である。
【図５】グループプリント写真の一例を示す平面図である。
【図６】グループプリント写真の一例を示す平面図である。
【図７】デジタルプリンタのプリント部を示す概略図である。
【図８】主プリントコマの周囲に副プリントコマを配置した他のグループプリント写真の一例を示す平面図である。
【図９】主プリントコマの周囲に１オーダー分の副プリントコマを配置した他のグループプリント写真の一例を示す平面図である。
【図１０】中サイズ副プリントコマを有する他のグループプリント写真の一例を示す平面図である。
【図１１】主プリントコマを２個有する他のグループプリント写真の一例を示す平面図である。
【図１２】主プリントコマの短辺に小サイズ副プリントコマを配置した他のグループプリント写真の一例を示す平面図である。
【図１３】主プリントコマの長辺に小サイズ副プリントコマを配置した他のグループプリント写真の一例を示す平面図である。
【符号の説明】
１０  ネガフイルム
１１  フイルムスキャナ
１２  フイルムキャリア
１５  撮像部
１６  画像処理部
２０  磁気再生ヘッド
２５  画像記憶ファイル
３０  デジタルプリンタ
３１  プリント画像作成部
３２  プリント部
３３  インデックスプリント写真
３５，３６，７０，７５，８０，９２，９７  グループプリント写真
３５ａ，３６ａ，７０ａ，７１ａ，７５ａ，８０ａ，８０ｂ    主プリントコマ
３５ｂ〜３５ｆ，３７ｂ〜３７ｆ，７０ｂ，７１ｂ，８０ｃ〜８０ｈ，８０ｋ〜８０ｎ  副プリントコマ
３６  コマ番号
４０  主プリントコマ特定部
４１  主プリントコマデータ読出部
４２  副プリントコマ抽出部
４３  画像合成部
４５  インデックスコマ読出部
５０  走査露光部
５２  カラーペーパー
５７  プリント画像
６０  ペーパーマガジン
６１  ペーパープロセサ
６２  通常プリント写真
ＭＰＦＡ    主プリントコマエリア
ＳＰＡ  副プリントエリア
【図１】
0003941850.tif 000002
【図２】
0003941850.tif 000003
【図３】
0003941850.tif 000004
【図４】
0003941850.tif 000005
【図５】
0003941850.tif 000006
【図６】
0003941850.tif 000007
【図７】
0003941850.tif 000008
【図８】
0003941850.tif 000009
【図９】
0003941850.tif 000010
【図１０】
0003941850.tif 000011
【図１１】
0003941850.tif 000012
【図１２】
0003941850.tif 000013
【図１３】
0003941850.tif 000014